(57)【要約】【課題】連番設定されている文字情報の数に依らず、連番印刷の一部再実行を簡易な構成で行い得る制御装置、印刷システム、印刷装置、印刷制御方法およびプログラムを提供する。【解決手段】文字情報を更新しながら印刷を行う連番印刷を指示する制御装置１００であって、１枚のラベルＬ上に連番設定されている全ての文字情報に対し、一括してカウンター値を指定するインクリメントボタン３７およびデクリメントボタン３８と、指定されたカウンター値から連番印刷を開始するように指示する印刷ボタン３４と、を編集画面９１に備えたことを特徴とする。【選択図】図３
2013161273.tif 000002
【特許請求の範囲】
【請求項１】
文字情報を更新しながら印刷を行う連番印刷を指示する制御装置であって、
前記文字情報に対し、前記連番印刷を行うための連番設定を行う連番設定部と、
１つの文書中において、連番設定されている全ての前記文字情報に対し、一括して現在値を指定する現在値指定部と、
指定された前記現在値から前記連番印刷を開始するように指示する印刷指示部と、を備えたことを特徴とする制御装置。
【請求項２】
前記連番設定されている文字情報は、所定の更新規則と前記連番印刷のカウンター値とに基づいて更新され、
前記現在値指定部は、前記現在値として、前記カウンター値を指定することを特徴とする請求項１に記載の制御装置。
【請求項３】
前記現在値指定部は、前記カウンター値が１ずつ変化するボタンの押下によって、前記現在値を指定し、
前記ボタンの押下ごとに、各文字情報における前記連番印刷の開始値を切り替えて表示する表示部をさらに備えたことを特徴とする請求項２に記載の制御装置。
【請求項４】
前記連番設定部は、前記連番印刷の初期値および終了値を設定可能であり、
前記表示部は、前記ボタンの押下ごとに、各文字情報の初期値から終了値の間で、前記開始値を切り替えることを特徴とする請求項３に記載の制御装置。
【請求項５】
前記連番設定部は、前記連番印刷の繰返し数および増分を設定可能であり、
前記表示部は、各文字情報の繰返し数設定および増分設定にしたがい、前記ボタンの押下ごとに、前記開始値を切り替えることを特徴とする請求項３または４に記載の制御装置。
【請求項６】
前記印刷指示部は、指定された前記現在値を開始値とした前記連番印刷を指示することを特徴とする請求項１に記載の制御装置。
【請求項７】
前記連番設定部は、前記連番印刷の初期値を設定可能であり、
前記現在値指定部は、前記現在値の指定に伴い、各文字情報の前記初期値を、指定した前記現在値に書き換えることを特徴とする請求項６に記載の制御装置。
【請求項８】
請求項１ないし７のいずれか１項に記載の制御装置と、
前記連番印刷を行う印刷装置と、を備えたことを特徴とする印刷システム。
【請求項９】
文字情報を更新しながら印刷を行う連番印刷を実行可能な印刷装置であって、
前記文字情報に対し、前記連番印刷を行うための連番設定を行う連番設定部と、
１つの文書中において、連番設定されている全ての前記文字情報に対し、一括して現在値を指定する現在値指定部と、
指定された前記現在値から前記連番印刷を開始する連番印刷部と、を備えたことを特徴とする印刷装置。
【請求項１０】
文字情報を更新しながら印刷を行う連番印刷を制御する印刷制御方法であって、
前記文字情報に対し、前記連番印刷を行うための連番設定を行う連番設定ステップと、
１つの文書中において、連番設定されている全ての前記文字情報に対し、一括して現在値を指定する現在値指定ステップと、
指定された前記現在値から前記連番印刷を開始するように制御する印刷制御ステップと、を実行することを特徴とする印刷制御方法。
【請求項１１】
コンピューターに、請求項１０に記載の印刷制御方法における各ステップを実行させるためのプログラム。
【発明の詳細な説明】
【技術分野】
【０００１】
文字情報を更新しながら印刷を行う連番印刷を指示する制御装置、印刷システム、印刷装置、印刷制御方法およびプログラムに関する。
【背景技術】
【０００２】
従来、数字やアルファベットなどの文字列を示す文字情報を順次インクリメントまたはデクリメントしながら印刷を行う、いわゆる「連番印刷機能」が知られている。この「連番印刷機能」を備えた印刷装置において、例えば「１」〜「５」の連番印刷が設定されており、印刷の中断などによって途中の番号（例えば「３」，「４」）のみ印刷したい場合は、初期値を「３」に設定し直すか、印刷を実行して文字情報を所望の開始値「３」になるまでカウントアップさせる必要があった。
【０００３】
そこで、連番印刷の一部再実行を容易にすべく、特許文献１が提案されている。当該特許文献１は、印刷終了時に連番の値を記憶しておくことで、ラベルプリンターの電源がＯＦＦとなっても、記憶しておいた連番の値を読み出し、途中の番号から連番印刷を開始できる構成となっている。これにより、前回の連番印刷を継続して印刷する場合、利便性が良い。
【先行技術文献】
【特許文献】
【０００４】
【特許文献１】特開２０１０−１０５１９８号公報（特許第４４９４５０２号公報）
【発明の概要】
【発明が解決しようとする課題】
【０００５】
ところが、上記特許文献１の構成では、ラベルプリンターに記憶手段を設けるため、コストアップとなる。一方、手動で初期値を設定し直す方法では、１枚のラベル上（１つの文書中）に連番設定されている文字情報が複数存在する場合、何箇所も初期値を変更しなければならず、面倒である。
【０００６】
本発明は、上記の問題点に鑑み、連番設定されている文字情報の数に依らず、連番印刷の一部再実行を簡易な構成で行い得る制御装置、印刷システム、印刷装置、印刷制御方法およびプログラムを提供することを目的とする。
【課題を解決するための手段】
【０００７】
本発明の制御装置は、文字情報を更新しながら印刷を行う連番印刷を指示する制御装置であって、文字情報に対し、連番印刷を行うための連番設定を行う連番設定部と、１つの文書中において、連番設定されている全ての文字情報に対し、一括して現在値を指定する現在値指定部と、指定された現在値から連番印刷を開始するように指示する印刷指示部と、を備えたことを特徴とする。
【０００８】
本発明の印刷装置は、文字情報を更新しながら印刷を行う連番印刷を実行可能な印刷装置であって、文字情報に対し、連番印刷を行うための連番設定を行う連番設定部と、１つの文書中において、連番設定されている全ての文字情報に対し、一括して現在値を指定する現在値指定部と、指定された現在値から連番印刷を開始する連番印刷部と、を備えたことを特徴とする。
【０００９】
本発明の印刷制御方法は、文字情報を更新しながら印刷を行う連番印刷を制御する印刷制御方法であって、文字情報に対し、連番印刷を行うための連番設定を行う連番設定ステップと、１つの文書中において、連番設定されている全ての文字情報に対し、一括して現在値を指定する現在値指定ステップと、指定された現在値から連番印刷を開始するように制御する印刷制御ステップと、を実行することを特徴とする。
【００１０】
これらの構成によれば、連番設定されている全ての文字情報に対し、一括して現在値を指定できるため、連番設定されている文字情報の数に依らず、連番印刷の一部再実行を簡単に行うことができる。また、記憶手段を必要としないため、コストアップ要因を排除できる。
なお、現在値とは、各文字情報における連番印刷の開始値を特定するために、現時点で指定されている値を指す。また、現在値＝開始値であっても良いし、現在値≠開始値であっても良い。
また、現在値の指定は、直接文字（数字やアルファベットなど）を指定しても良いし、インクリメントボタンやデクリメントボタンを用いて指定しても良い。
【００１１】
上記の制御装置において、連番設定されている文字情報は、所定の更新規則と連番印刷のカウンター値とに基づいて更新され、現在値指定部は、現在値として、カウンター値を指定することを特徴とする。
【００１２】
この構成によれば、現在値として、連番印刷のカウンター値を指定するため、各文字情報の連番設定に依らず、適切な値を指定できる。仮に、連番設定として初期値および終了値（最大値または最小値）を設定可能であり、且つ現在値として開始値を指定した場合、その開始値が、設定された初期値と終了値間に該当せず、指定した開始値が無効となる可能性があるが、カウンター値を指定する構成であるため、そのような不具合がない。
【００１３】
上記の制御装置において、現在値指定部は、カウンター値が１ずつ変化するボタンの押下によって、現在値を指定し、ボタンの押下ごとに、各文字情報における連番印刷の開始値を切り替えて表示する表示部をさらに備えたことを特徴とする。
【００１４】
この構成によれば、ボタンを押下する簡単な操作により、カウンター値を変化させることができる。また、表示部を備えたことにより、カウンター値に対応する各文字情報の開始値（連番印刷を行った場合に最初に印刷される値）を確認することができる。
【００１５】
上記の制御装置において、連番設定部は、連番印刷の初期値および終了値を設定可能であり、表示部は、ボタンの押下ごとに、各文字情報の初期値から終了値の間で、開始値を切り替えることを特徴とする。
【００１６】
この構成によれば、各文字情報に設定された初期値から終了値の範囲で、開始値を切り替えることができる。
【００１７】
上記の制御装置において、連番設定部は、連番印刷の繰返し数および増分を設定可能であり、表示部は、各文字情報の繰返し数設定および増分設定にしたがい、ボタンの押下ごとに、開始値を切り替えることを特徴とする。
【００１８】
この構成によれば、各文字情報に設定された繰返し数設定および増分設定にしたがって、開始値を切り替えることができる。
【００１９】
上記の制御装置において、印刷指示部は、指定された現在値を開始値とした連番印刷を指示することを特徴とする。
【００２０】
この構成によれば、連番印刷の開始値を一括して指定することができる。
【００２１】
上記の制御装置において、連番設定部は、連番印刷の初期値を設定可能であり、現在値指定部は、現在値の指定に伴い、各文字情報の初期値を、指定した現在値に書き換えることを特徴とする。
【００２２】
この構成によれば、各文字情報の初期値を一括して書き換えることができる。
【００２３】
本発明の印刷システムは、上記の制御装置と、連番印刷を行う印刷装置と、を備えたことを特徴とする。
【００２４】
本発明のプログラムは、コンピューターに、上記の印刷制御方法における各ステップを実行させることを特徴とする。
【００２５】
これらを用いることにより、連番設定されている文字情報の数に依らず、連番印刷の一部再実行を簡易な構成で行い得る印刷システムおよび印刷制御方法を実現できる。
【図面の簡単な説明】
【００２６】
【図１】印刷システムの構成を示すブロック図である。
【図２】テープ印刷装置の開蓋状態における外観斜視図である。
【図３】編集画面の表示例を示す図である。
【図４】連番設定画面の表示例を示す図である。
【図５】（ａ）は、連番挿入前に表示される矢印カーソルおよびブロック枠の表示例を示す図であり、（ｂ）は、連番挿入後に表示されるハンドルおよび連番マークの表示例を示す図である。
【図６】（ａ）は、連番印刷前に表示されるラベルイメージを示す図であり、（ｂ）は、３０枚分の連番印刷後に表示されるラベルイメージを示す図である。
【図７】（ａ）は、連番印刷前に表示されるラベルイメージを示す図であり、（ｂ）は、５枚分の連番印刷後に表示されるラベルイメージを示す図である。
【図８】（ａ）は、連番設定例を示す図であり、（ｂ）は、指定されたカウンター値と、各文字情報の開始値の関係を示す表である。
【図９】（ａ）は、連番設定例を示す図であり、（ｂ）は、変形例１における現在値の指定例を示す図であり、（ｃ）は、印刷回数と、各文字情報の値の変化を示す表である。
【図１０】（ａ）は、連番設定例を示す図であり、（ｂ）は、変形例２における現在値の指定例と、その指定により変更された連番設定例を示す図であり、（ｃ）は、印刷回数と、各文字情報の値の変化を示す表である。
【発明を実施するための形態】
【００２７】
以下、添付の図面を参照し、本発明の制御装置、印刷システム、印刷装置、印刷制御方法およびプログラムについて説明する。図１は、印刷システムＳＹの構成を示すブロック図である。同図に示すように、印刷システムＳＹは、制御装置１００と、テープ印刷装置１と、から成り、これらはケーブル８６を介して接続されている。なお、制御装置１００とテープ印刷装置１は、ネットワーク（インターネットやローカルエリアネットワーク）を介して接続させても良いし、無線通信を介して接続させても良い。
【００２８】
制御装置１００は、一般的なパーソナルコンピューターであり、ＣＰＵ（Central  Processing  Unit）１０１、ＲＡＭ（Random  Access  Memory）１０２、ＨＤＤ（Hard  disk  drive）１０３、キーボード１０４、マウス１０５、ディスプレー１０６、通信Ｉ／Ｆ１１１およびこれら各コンポーネントを接続するバス１０７を備えている。
【００２９】
ＨＤＤ１０３は、ＯＳ（Operating  System）１２１の他、専用ソフト１２２およびプリンタードライバー１２３を記憶している。専用ソフト１２２は、ラベル編集用のソフトウェアであり、印刷データの作成、連番設定、テープ印刷装置１への印刷指示等、後述する各種処理を実行するために用いられる。また、プリンタードライバー１２３は、制御装置１００とテープ印刷装置１との橋渡しを行う。通信Ｉ／Ｆ１１１は、ＵＳＢ規格のケーブル８６を介して、テープ印刷装置１の通信Ｉ／Ｆ８５と接続される。
【００３０】
テープ印刷装置１は、ＣＰＵ８１、ＲＡＭ８２、ＲＯＭ（Read  Only  Memory）８３、キーボード３、表示画面４１、通信Ｉ／Ｆ８５、カッターモーター２５、テープカッター２３、テープ送りモーター２６、印刷ヘッド７、テープ識別センサー２７、およびこれら各コンポーネントを接続するバス８７を備えている。
【００３１】
ＣＰＵ８１は、中央処理装置であり、ＲＡＭ８２は、ＣＰＵ８１が各種制御を行う際のワークエリアとして用いられる。また、ＲＯＭ８３は、ＣＰＵ８１が各種制御を行うための制御プログラムおよび制御情報を記憶している。表示画面４１は、テープ印刷装置１が単体で用いられる場合、テキスト編集画面および各種設定画面を表示する。キーボード３は、テープ印刷装置１が単体で用いられる場合、テキスト入力手段および操作手段として機能する。
【００３２】
カッターモーター２５は、テープカッター２３と接続され、印刷済みのテープＴ（図２参照）を切断する。また、テープ送りモーター２６および印刷ヘッド７は、テープＴを搬送しながら当該テープＴ上に印刷を行う。また、テープ識別センサー２７は、テープカートリッジＣ（図２参照）に収容されたテープＴの種別（テープの幅や材質等）を検出する。
【００３３】
次に、図２を参照し、テープ印刷装置１の装置構成について説明する。図２は、テープ印刷装置１の開閉蓋２１を開いた状態の外観斜視図である。同図に示すようにテープ印刷装置１は、装置ケース２により外郭が形成され、装置ケース２の前部上面には各種入力キー・ボタンを備えたキーボード３が配置されると共に、後部上面には、その左部に開閉蓋２１が取り付けられ、その右部には表示画面４１が配設されている。
【００３４】
開閉蓋２１の内側にはテープカートリッジＣを装着するためのカートリッジ装着部６が窪入形成されており、テープカートリッジＣは、開閉蓋２１を開放した状態でカートリッジ装着部６に着脱可能に装着される。また、開閉蓋２１にはこれを閉じた状態でテープカートリッジＣの装着／非装着を視認するための覗き窓２１ａが形成されている。キーボード３には、ＪＩＳ配列に基づいたフルキー構成の文字キー群３ａと、および各種動作を指示するための機能ボタン群３ｂが配列されている。
【００３５】
装置ケース２の左側部には、カートリッジ装着部６と外部とを連通するテープ排出口２２が形成され、このテープ排出口２２には、不図示のテープ搬送機構により送り出したテープＴを切断するためのテープカッター２３が臨んでいる。そして、テープ排出口２２から印刷済みのテープＴが所定長さだけ送り出され、送りを一旦停止させた状態で、この印刷済みのテープＴがテープカッター２３により切断されて、短冊状のラベルＬ（図６等参照）を作成する。
【００３６】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、テープ搬送機構となるプラテン駆動軸６２および巻き取り駆動軸６３を回転させるテープ送りモーター２６（図１参照）が内蔵されている。
【００３７】
テープカートリッジＣは、カートリッジケース５１内部の上部中央部に、一定の幅（４ｍｍ〜３６ｍｍ程度）のテープＴを巻回したテープリール１７と、右下部にインクリボンＲを巻回したリボンリール１９とを収容して構成されている。また、テープリール１７の左下部には前記ヘッドユニット６１を覆うヘッドカバー６１ａが差し込まれるための貫通孔５５が形成されている。また、リボンリール１９に近接してリボン巻き取りリール５４が配置され、リボンリール１９から繰り出されたインクリボンＲは、ヘッドカバー６１ａを周回するように、リボン巻き取りリール５４に巻き取られるようになっている。
【００３８】
一方、テープＴは、裏面に粘着剤層が形成された記録テープＴａと、この粘着剤層により記録テープＴａに貼り付けられた剥離テープＴｂとから構成されている。そして、テープＴは、記録テープＴａを外側にし、且つ剥離テープＴｂを内側にしてロール状に巻回されてカートリッジケース５１内に収容されている。また、テープＴは、テープ種別が異なる複数種のものが用意されており、各カートリッジケース５１には、このうち１種類のテープＴ（およびインクリボンＲ）が収容されている。また、カートリッジケース５１の裏面にはテープカートリッジＣの種別を特定する複数の孔（図示省略）が設けられている。また、複数の孔に対応してカートリッジ装着部６には、これらを検出するテープ識別センサー（マイクロスイッチ等）２７（図１参照）が、複数設けられており、このテープ識別センサー２７により複数の孔の状態を検出することで、テープ種別を判別できるようになっている。
【００３９】
次に、図３を参照し、制御装置１００のディスプレー１０６上に表示される編集画面９１について説明する。編集画面９１は、専用ソフト１２２を起動させることによってディスプレー１０６上に表示可能であり、ラベルＬのイメージ画像（以下、「ラベルイメージＬＩ」と称する）を表示する編集領域９２（表示部）、メニュー選択を行うためのメニューバー９３、基本操作を行うための基本操作ツールバー９４、文字や図形などを入力するための入力ツールバー９５、文字や図形を編集するための編集ツールバー９６が設けられている。
【００４０】
基本操作ツールバー９４は、印刷データを新規作成するための新規作成ボタン３１、作成した印刷データを保存するための保存ボタン３２、保存しておいた画像データを読み込んで編集領域９２に表示させる読込みボタン３３、編集領域９２に表示されている編集結果に基づいて印刷を実行させるための印刷ボタン３４（印刷指示部）等を有している。
【００４１】
入力ツールバー９５は、テープＴやブロック（テキストブロックＴＢや後述する連番ブロックＣＢなど）を選択するブロック選択ボタン３５、文字を入力するための文字入力ボタン３６の他、連番印刷のカウンター値（現在値）を指定するためのインクリメントボタン３７およびデクリメントボタン３８を有している。本実施形態では、これらインクリメントボタン３７およびデクリメントボタン３８を用いて、カウンター値を上下させることにより、連番印刷の開始値（連番印刷を行った場合に最初に印刷される値）を指定する（現在値指定部）。詳細については後述する。
【００４２】
編集ツールバー９６は、テープ印刷装置１に装着されているテープＴのテープ幅を取得して、テープ幅表示ボックス９８に表示するテープ幅取得ボタン９７を含む。テープ幅表示ボックス９８には、上下ボタン９９が設けられており、テープ幅を手動入力することも可能である。
【００４３】
編集領域９２は、取得したテープ幅且つ所定長さのラベルイメージＬＩを表示する。また、同図の例では、文字入力ボタン３６の操作により、文字列「管理Ｎｏ．」を示すテキストブロックＴＢが既に入力されている状態を示している。なお、ブロックを囲む点線枠は、説明の便宜上付したものであり、実際に表示されるものではない。
【００４４】
次に、図４を参照し、上記の編集画面９１から呼び出し可能な連番設定画面１５１について説明する。なお、請求項における「連番設定部」は、当該連番設定画面１５１と、キーボード１０４およびマウス１０５等の操作手段を主要部とする。連番設定画面１５１は、連番設定を行うためのダイアログボックスであり、メニューバー９３の［挿入］メニュー（図示省略）の中から［連番］を選択することによって表示可能である。設定項目としては、属性、書式、初期値、増分、繰返し数、最大（小）値（終了値）、フォント、サイズ、文字配置およびスタイルの１０項目が設けられている。後述する連番ブロックにおける文字情報は、これらの項目（所定の更新規則）とカウンター値に基づいて更新される。
【００４５】
まず、属性ボックス１５２では、「数字」または「アルファベット」を選択する。また、書式ボックス１５３では、表示させる数を「＃」で表す。なお、同図に示すように「＃」の前に「０」が入力された場合、連番の前の桁に「０」を表示させることができる。例えば、図４に示す連番設定画面１５１の設定の場合、初期値は「０００１」と表示される。また、書式ボックス１５３には、連番以外の文字も入力可能である。なお、請求項における文字情報とは、「＃」で示される１桁以上の数字または１以上のアルファベット文字列を指す。
【００４６】
また、初期値ボックス１５４では、属性ボックス１５２で「数字」が選択された場合、カウントを始める最初の数字を入力する。また、属性ボックス１５２で「アルファベット」が選択された場合、カウントを始める最初のアルファベットを入力する。また、増分ボックス１５５では、印刷されるごとに加算される増分を最大５桁までの数字で指定する。なお、増分ボックス１５５では、マイナス値や小数点も指定可能である。例えば、増分が「１」に設定された場合、１、２、３・・・と数字が１つずつ増え、増分が「−２」に設定された場合、１、−１、−３・・・と数字が２つずつ減ることになる。
【００４７】
また、繰返し数ボックス１５６では、増分するまで同じ内容のラベルＬを何枚印刷するかを数字または上下ボタンで指定する。また、最大（小）値ボックス１５８では、増分が＋の場合は最大値を指定し、増分が−の場合は最小値を指定する。なお、最大（小）値ボックス１５８への入力は任意であり、設定する場合のみチェックボックス１５７にチェックを入れる。
【００４８】
また、フォントボックス１５９では、連番に使用する文字のフォントをメニューの中から選択する。また、サイズボックス１６０では、連番に使用する文字のサイズをメニューの中から選択する。なお、文字のサイズは、編集画面９１上でも変更可能である。また、文字配置ボックス１６１では、連番ブロックＣＢ内の配置をメニュー（左寄せ、右寄せ、中央寄せ、均等割付など）の中から選択する。また、スタイル設定領域１６２では、斜体、太字、下線、取消し線の有無をそれぞれ指定する。
【００４９】
以上の設定項目について設定を行った後、ＯＫボタン１６３が押下されると、編集画面９１上に、挿入位置を示す矢印カーソル１７１と、連番ブロックＣＢのブロック範囲を示すブロック枠１７２と、を表示する（図５（ａ）参照）。ブロック範囲が所望の位置となるように矢印カーソル１７１を移動させ、マウス１０５の左ボタンがクリックされると、ハンドル１７３付きの連番ブロックＣＢを表示する（図５（ｂ）参照）。なお、本例においては、連番ブロックＣＢ内の４桁の数字が文字情報に相当するが、文字情報「０００１」の先頭文字には、連番であることを示す連番マークＭを表示する。このとき連番ブロックＣＢ内の文字情報は、初期値で表示される。なお、連番ブロックＣＢがハンドル１７３付きで表示されている状態で、連番のサイズや位置を変更可能であり、連番以外の場所がクリックされることで、連番のサイズや位置を確定する。
【００５０】
図６は、連番印刷結果を示す図である。図４に示したように、最初の連番ブロックＣＢの設定を行った後、さらに２つ目の連番ブロックＣＢの連番設定として以下の設定を行い、さらに最初の連番ブロックＣＢの下部に２つ目の連番ブロックＣＢを配置した場合の印刷結果を示している。２つ目の連番ブロックＣＢの連番設定は、属性「数字」、書式「ＩＰ  １２３．４５．６．＃」、初期値「１」、増分「１」、繰返し数「１」、最大（小）値「指定なし」、フォント「ＭＳゴシック」、サイズ「１８」、文字配置「左寄せ」、スタイル「指定なし」である。なお、以下の説明では、最初の連番ブロックＣＢを「第１連番ブロックＣＢ１」、２つ目の連番ブロックＣＢを「第２連番ブロックＣＢ２」と称する。
【００５１】
図６（ａ）は、連番印刷の１枚目に印刷されるラベルＬを示している。また、印刷指示前に編集領域９２に表示されるラベルイメージＬＩも同図に示す通りである。このとき、第１連番ブロックＣＢ１および第２連番ブロックＣＢ２内の文字情報は、いずれも初期値（第１：「０００１」、第２：「１」）を示している。この状態で、印刷ボタン３４が押下され、印刷ダイアログボックス（図示省略）を表示した後、印刷部数「３０枚」が指定されてＯＫボタンが押下されると、制御装置１００は、３０枚分のラベルＬを印刷するための印刷データをテープ印刷装置１に送信する。
【００５２】
図６（ｂ）は、連番印刷の３０枚目に印刷されるラベルＬを示している。また、印刷指示後（印刷データの送信後）に編集領域９２に表示されるラベルイメージＬＩも同図に示す通りである。このとき、第１連番ブロックＣＢ１および第２連番ブロックＣＢ２内の文字情報は、いずれもカウンター値「３０」に対応する値（第１：「００３０」、第２：「３０」）を示している。なお、印刷指示後、最後に印刷されるラベルＬに対応するラベルイメージＬＩを表示するのではなく、最後に印刷されるラベルＬの次のカウンター値に対応するラベルイメージＬＩを表示しても良い。
【００５３】
ところで、図６に示したような連番設定による連番印刷の一部再実行を行いたい場合、図３に示した編集画面９１上のインクリメントボタン３７およびデクリメントボタン３８を用いる。例えば、図６（ｂ）に示すラベルイメージＬＩが編集領域９２に表示されている状態で、デクリメントボタン３８を１０回押すと、図７（ａ）に示すラベルイメージＬＩとなる。つまり、カウンター値を「３０」から「１０」減らした「２０」に指定できる。この状態で、例えば印刷部数「５枚」の印刷指示が行われると、５枚分のラベルＬが印刷され、編集領域９２に表示されるラベルイメージＬＩは、図７（ｂ）に示す通りである。
【００５４】
なお、特に図示しないが、インクリメントボタン３７が押下された場合、カウンター値を１ずつ増やすことができる。例えば、図６（ｂ）に示すラベルイメージＬＩが編集領域９２に表示されている状態で、インクリメントボタン３７を１０回押すと、カウンター値を「３０」から「１０」増やした「４０」に指定できる。このように、編集画面９１上に表示されるインクリメントボタン３７やデクリメントボタン３８を用いることで、１枚のラベルＬ上に複数の連番ブロックＣＢ（複数の文字情報）が存在する場合でも、簡単に連番印刷の一部再実行を指示することができる。
【００５５】
なお、図４ないし図６に示した例では、増分や繰返し数を「１」に設定し、最大（小）値を指定しない場合を例示したが、文字情報ごとに異なる連番設定を行っても良い。ここで、図８を参照し、文字情報ごとに異なる連番設定を行った場合について説明する。図８（ａ）は、３つの文字情報に関する連番設定例を示している。つまり、１枚のラベルイメージＬＩ上に、３つの連番ブロックＣＢが設定されている場合を想定する。また、図８（ｂ）は、指定されたカウンター値と、各文字情報の開始値の関係を示している。
【００５６】
例えば、各文字情報が初期値（Ａ：「０」、Ｂ：「０」、Ｃ：「０」）で表示されている状態をカウンター値「０」とすると、インクリメントボタン３７が１回押下されてカウンター値が「１」に指定された場合、各文字情報はカウンター値「１」に対応する値（Ａ：「１」、Ｂ：「０」、Ｃ：「−１」）に変化する。つまり、編集領域９２に表示されるラベルイメージＬＩ上では、各文字情報がこれらの値で表示され、印刷指示が行われた場合、これらの値を開始値として連番印刷を開始する。また、さらにインクリメントボタン３７が１回押下されてカウンター値が「２」に指定された場合、各文字情報はカウンター値「２」に対応する値（Ａ：「２」、Ｂ：「２」、Ｃ：「−２」）に変化する。このように、インクリメントボタン３７が押下されても、連番設定によってカウンター値に対応する値（＝連番印刷の開始値）の変化は様々である。つまり、各文字情報の増分設定および繰返し数設定にしたがい、インクリメントボタン３７またはデクリメントボタン３８の押下ごとに、連番印刷の開始値を切り替えることができる。
【００５７】
なお、各文字情報に最大（小）値が設定されている場合（図８（ａ）参照）、インクリメントボタン３７またはデクリメントボタン３８の押下ごとに、各文字情報の初期値から最大（小）値の間で、開始値を切り替えることができる（図８（ｂ）参照）。
【００５８】
以上説明したとおり、本実施形態によれば、編集領域９２のラベルイメージＬＩ上に連番設定されている全ての連番ブロックＣＢの文字情報に対し、一括して現在値（カウンター値）を指定できるため、連番ブロックＣＢの数に依らず、連番印刷の一部再実行を簡単に行うことができる。
【００５９】
また、現在値として、連番印刷のカウンター値を指定するため、各文字情報の連番設定に依らず、適切な値を指定できる。仮に、連番設定の開始値そのものを現在値として指定した場合、その値が、連番設定された初期値と最大（小）値間に該当せず、現在値指定が無効となる虞があるが、カウンター値を指定する構成であるため、そのような不具合がない。
【００６０】
また、編集画面９１上にインクリメントボタン３７またはデクリメントボタン３８を備えたため、特定のダイアログボックスやコンテキストメニューを表示させるなどの操作を必要とすることなく、簡単にカウンター値を指定することができる。また、編集領域９２に表示されるラベルイメージＬＩ上では、各文字情報の開始値（連番印刷を指示したとき１枚目のラベルＬに印刷される各文字情報の値）を表示するため、ユーザーは正確な印刷結果を確認できる。
【００６１】
また、連番設定として、初期値、終了値（最大値または最小値）、繰返し数、増分を設定可能であるため、各文字情報に設定された初期値から終了値の範囲で、且つ各文字情報に設定された繰返し数設定および増分設定にしたがって、インクリメントボタン３７またはデクリメントボタン３８の押下ごとに開始値を切り替えることができる。
【００６２】
[変形例１]
なお、以下の変形例を採用可能である。例えば、上記の実施形態では、現在値としてカウンター値を指定したが、開始値そのものを指定しても良い。この場合、制御装置１００（印刷指示部）は、指定された現在値を開始値とした連番印刷を指示する。図９（ａ）は、変形例１における連番設定例を示している。このように、２つの文字情報に対して連番設定が行われており、図９（ｂ）に示すように、現在値（開始値）が指定された場合、印刷回数と各文字情報の値の関係は、図９（ｃ）に示す通りである。
【００６３】
つまり、文字情報Ａは、現在値（＝開始値）が指定されていない場合、連番設定にしたがい、印刷回数が１、２、３、４・・・と増加するにつれて、０、１、２、３・・・と値が変化していくが（図９（ａ）参照）、現在値（＝開始値）が「２」と指定されたことにより（図９（ｂ）参照）、印刷回数が１、２、３、４・・・と増加するにつれて、２、３、０、１・・・と値が変化する（図９（ｃ）参照）。同様に、文字情報Ｂは、現在値（＝開始値）が指定されていない場合、連番設定にしたがい、印刷回数が１、２、３、４・・・と増加するにつれて、０、０、２、２・・・と値が変化していくが（図９（ａ）参照）、現在値（＝開始値）が「２」と指定されたことにより（図９（ｂ）参照）、２、２、４、４・・・と値が変化する（図９（ｃ）参照）。
【００６４】
このように、変形例１によれば、連番印刷の開始値を一括して指定することができる。なお、図９の例では、上記実施形態との違いを示すため、文字情報Ａ，Ｂの連番設定を図８と同様としたが、本例は、複数の文字情報に対し、同じ連番設定が行われている場合、利便性が良い。つまり、文字情報Ａ，Ｂ共に、印刷回数が１、２、３、４・・・と増加するにつれて、０、１、２、３・・・と値が変化していくような設定の場合、直接開始値を指定できるため、操作が容易である。
【００６５】
[変形例２]
また、現在値の指定に伴い、各文字情報の初期値を、指定した現在値に書き換えても良い（現在値指定部）。つまり、インクリメントボタン３７またはデクリメントボタン３８を用いて、各文字情報の初期値を指定可能としても良い。図１０（ａ）は、変形例２における連番設定例を示している（図９（ａ）と同様）。このように、２つの連番ブロックＣＢに対して連番設定が行われており、図１０（ｂ）に示すように、現在値（開始値）の指定によって初期値が書き換えられた場合、変更後の連番設定は、同図に示すとおりである。また、変更後の連番設定に基づく、印刷回数と各文字情報の値の関係は、図１０（ｃ）に示す通りである。
【００６６】
このように、変形例２によれば、連番印刷の初期値を一括して書き換えることができる。なお、最大（小）値が設定されていない場合、変形例１と変形例２は、印刷回数と各文字情報の値の関係が同様となる。また、変形例１および変形例２においては、不適切な現在値（開始値）が指定された場合（初期値から終了値までの範囲内で文字が指定されなかった場合など）、警告メッセージを表示する。
【００６７】
なお、上記の実施形態および変形例では、インクリメントボタン３７やデクリメントボタン３８を用いてカウンター値（現在値）を指定したが、直接文字（数字またはアルファベット）を入力することにより指定しても良い。
【００６８】
また、上記の実施形態および変形例では、制御装置１００側の処理を中心に説明したが、テープ印刷装置１単体で本発明を実現しても良い。つまり、テープ印刷装置１において、連番印刷を行うための連番設定と、現在値（カウンター値または開始値）の指定を行い（連番設定部，現在値指定部）、指定された現在値から、連番設定にしたがった連番印刷を開始しても良い（連番印刷部）。この場合、連番設定は、キーボード３の特定キー押下により表示されるメニュー項目の中から「連番印刷」を指定して行うことが考えられる。また、現在値の指定は、キーボード３上に設けられたインクリメントボタンやデクリメントボタンを用いて行うことが考えられる。
【００６９】
また、上記の実施形態に示した、連番印刷を実現するための機能（専用ソフト１２２）をプログラムとして提供しても良い。また、そのプログラムを各種記録媒体（ＣＤ−ＲＯＭ、フラッシュメモリー等）に格納して提供しても良い。すなわち、上記の実施形態に示した連番印刷を実現するためのプログラム、およびそれを記録した記録媒体も、本発明の権利範囲に含まれる。
【００７０】
また、上記の実施形態では、ラベルＬ上に連番印刷を行う場合について説明したが、ラベルＬ以外の印刷媒体に連番印刷を行う場合にも本発明を適用可能である。この場合、１つの文書（１ページ、１ファイルなど）中において、連番設定されている全ての文字情報に対し、一括して現在値を指定する。また、制御装置１００としてパーソナルコンピューターを例示したが、スマートフォンやタブレット端末など各種情報処理端末を用いても良い。また、専用ソフト１２２の機能をサーバー上に設け、ユーザー端末から操作を行うなど、クラウドコンピューティングの構成でも本発明を適用可能である。その他、本発明の要旨を逸脱しない範囲で、適宜変更が可能である。
【符号の説明】
【００７１】
１…テープ印刷装置  ７…印刷ヘッド  ３４…印刷ボタン  ３５…ブロック選択ボタン  ３７…インクリメントボタン  ３８…デクリメントボタン  ４１…表示画面  ９１…編集画面  ９２…編集領域  ９３…メニューバー  ９４…基本操作ツールバー  ９５…入力ツールバー  ９６…編集ツールバー  １００…制御装置  １２２…専用ソフト  １５１…連番設定画面  １５２…属性ボックス  １５３…書式ボックス  １５４…初期値ボックス  １５５…増分ボックス  １５６…繰返し数ボックス  １５７…チェックボックス  １５８…最大値ボックス  １７１…矢印カーソル  １７２…ブロック枠  １７３…ハンドル  ＣＢ…連番ブロック  Ｌ…ラベル  ＬＩ…ラベルイメージ  Ｍ…連番マーク  ＳＹ…印刷システム
【図１】
2013161273.tif 000003
【図２】
2013161273.tif 000004
【図３】
2013161273.tif 000005
【図４】
2013161273.tif 000006
【図５】
2013161273.tif 000007
【図６】
2013161273.tif 000008
【図７】
2013161273.tif 000009
【図８】
2013161273.tif 000010
【図９】
2013161273.tif 000011
【図１０】
2013161273.tif 000012